(57)【要約】【課題】  軸部材が接合基材に任意の方向から任意の角度で接合できる。  複数の軸部材どうしを任意の角度で接合できる。  任意の形状の３角錐状単位架構等の構造ユニットが造れ、それらどうしを接合できる。【解決手段】先端にボルト穴を設け、軸部材とヒンジ接合できるよう加工されたヒンジ付ボルトで接合基材を貫通、他端にスプリング座金を挟み、先端にボルト孔を設け、軸部材とヒンジ接合できるよう加工されたヒンジ付ナットで該ヒンジ付ボルトを締め付け、該ヒンジ付ナット及びヒンジ付ボルトを必要な回転角度に定めて固定する。この接合基材を、円盤としてその側面にヒンジ付きボルトをねじ接合、必要な回転角度に定めて締め付けナットで固定してもよい.【選択図】図２
2007177612.tif 000002
【特許請求の範囲】
【請求項１】
先端にボルト穴を設け、軸部材とヒンジ接合できるよう加工されたヒンジ付ボルトで接合基材を貫通、他端にスプリング座金を挟み、先端にボルト孔を設け、軸部材とヒンジ接合できるよう加工されたヒンジ付ナットで該ヒンジ付ボルトを締め付け、該ヒンジ付ナット及びヒンジ付ボルトを必要な回転角度に定めて固定するよう装置したことを特徴とする接合装置。
【請求項２】
前記ヒンジ付ナットを締め付ナットとしてなる請求項１記載の接合装置。
【請求項３】
前記接合基材を円盤とし、その側面に前記ヒンジ付ボルトをねじ接合、必要な回転角度に定めて締め付けナットで固定するよう装置した請求項１または２記載の接合装置。
【発明の詳細な説明】
【技術分野】
【０００１】
本発明は、建造物の構築、機械・器具の組み立てなどのために、軸部材どうし、接合基材（装置）どうし、及び構造ユニットどうしを接合する接合装置に関するものである。    
【背景技術】
【０００２】
従来立体トラスなどの構造物を構築するために、球体に軸部材をねじ接合するなどの接合装置があった。（特許文献１、２、３参照）
【特許文献１】特開平０３−１１５６３１
【特許文献２】特開平０６−２００５６３
【特許文献３】特開平０７−０１１７０５
【発明の開示】
【発明が解決しようとする課題】
【０００３】
球体等の接合基材に軸部材を接合する場合、従来は、接合基材に直接軸部材をねじ接合するために、接合基材に対する軸部材の方向が一定となるので、軸部材の方向に合わせて接合基材のねじ加工をする必要があって、接合装置の種類が増すため標準化に難点があり、施工も努力を要しまたコスト高にもなっている。
【０００４】
本願発明の目的は、軸部材がジョイントとなる接合基材に任意の方向から任意の角度で接合できることにある。また、軸部材と接合基材で３角錐状単位架構等の構造ユニットを造り、その接合基材どうしを接合することによって、構造ユニットどうしを接合することにある。
【課題を解決するための手段】
【０００５】
その特徴とするところは、図１、図２を参照して、先端にボルト孔１１を設け、軸部材とヒンジ接合できるよう加工されたヒンジ付ボルト１３ｄで板材などの接合基材１４を貫通、他端にスプリング座金を挟み、先端にボルト孔を設け、軸部材とヒンジ接合できるよう加工されたヒンジ付ナット１３ｅで、ヒンジ付ボルト１３ｄを締め付け、ヒンジ付ナット１３ｅ及びヒンジ付ボルト１３ｄを必要な回転角度を定めて固定する。ヒンジ付ナット１３ｅは、締め付ナット１５ｃであっても良い。
【０００６】
前記接合基材を図１、２の如く円盤とし、その側面に前記ヒンジつきボルト１３をねじ接合、必要な回転角度に定めて締め付けナット１５で固定する。
【発明の効果】
【０００７】
円盤等の板材の片側がヒンジ付ボルト、反対側がヒンジ付ナットになる形で、スプリング座金を挟んでヒンジ付ナットを締め付けるので、ヒンジ付ボルト及びヒンジ付ナットを任意の回転角度にして締め付けられる。従って、軸部材を任意の方向から任意の角度で、該接合基材に接合できるから、この接合基材に複数のヒンジ付ボルト、ヒンジ付ナットが装着された接合装置と軸部材で３角形を面とする任意の形状の多面体形、３角形を内臓、３角形によって形成される骨組、構造物などを作ることができる。
【０００８】
軸部材と接合基材で３角錐状単位架構等の構造ユニットを造り、その接合基材の軸部材と反対側にあるヒンジ付ボルトまたはヒンジ付ナットどうしを接合することによって、構造ユニットどうしを接合することができる。その場合、ヒンジ付ボルトまたはヒンジ付ナットが、一方は一枚ヒンジ、他方は２枚ヒンジで、双方を挟み込みピンボルトで接合する。
【０００９】
これらの構造物はトラス構造であるので部材断面を最小限にでき、部材の軽量化、省資源化が図れる。軸部材の接合を一本のピンボルトによるだけなので、部材の組み立て、解体が容易で、部材のリユースも図り易い。
【発明を実施するための最良の形態】
【００１０】
図１、図２は、各々接合基材１４にヒンジ付ボルト１３ｄ及びヒンジ付ナット１３ｅが装着されていることを示した正面図、図９のＤ−Ｄ断面図である。先端にボルト孔１１を設け、軸部材とヒンジ接合できるよう加工されたヒンジ付ボルト１３ｄで板材などの接合基材１４を貫通、他端に先端にボルト１１を設け、軸部材とヒンジ接合できるよう加工されたヒンジ付ナット１３ｅで、スプリング座金２０ａを挟み、ヒンジ付ボルト１３ｄを締め付け、ヒンジ付ナット１３ｅ及びヒンジ付ボルト１３ｄを必要な回転角度に定めて固定する。図１０（ｂ）に示すように、ヒンジ付ナット１３ｅの代わりに締め付ナット１５ｃでヒンジ付ボルト１３ｄを固定しても良い。
【００１１】
図１、図２の如く接合基材１４を円盤とし、その側面にヒンジ付きボルト１３をねじ接合、必要な回転角度に定めて締め付けナット１５で固定する。
【図面の簡単な説明】
【００１２】
【図１】ヒンジ付ボルトと接合基材及びヒンジ付ナットの接合の一例を示した正面図。
【図２】図１のＤ−Ｄ断面図で、（ａ）は、ヒンジ付ボルトと接合基材及びヒンジ付ナットの接合、（ｂ）は、ヒンジ付ボルトと接合基材及び締め付ナットの接合を示した断面図。
【符号の説明】
【００１３】
１３ｄ、１３  ヒンジ付ボルト
１３ｅ  ヒンジ付ナット
１４    接合基材
１５ｃ、１５  締め付ナット
２０ａ  スプリング座金
【図１】
2007177612.tif 000003
【図２】
2007177612.tif 000004
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
先端にボルト穴を設け、軸部材とヒンジ接合できるよう加工されたヒンジ付ボルトで接合基材を貫通、他端にスプリング座金を挟み、先端にボルト孔を設け、軸部材とヒンジ接合できるよう加工されたヒンジ付ナットで該ヒンジ付ボルトを締め付け、該ヒンジ付ナット及びヒンジ付ボルトを必要な回転角度に定めて固定するよう装置したことを特徴とする接合装置。
【請求項２】
前記接合基材を円盤とし、その側面に前記ヒンジ付ボルトをねじ接合、必要な回転角度に定めて締め付けナットで固定するよう装置した請求項１記載の接合装置。
【手続補正２】
【補正対象書類名】明細書
【補正対象項目名】０００５
【補正方法】変更
【補正の内容】
【０００５】
その特徴とするところは、図１、図２を参照して、先端にボルト孔１１を設け、軸部材とヒンジ接合できるよう加工されたヒンジ付ボルト１３ｄで板材などの接合基材１４を貫通、他端にスプリング座金を挟み、先端にボルト孔を設け、軸部材とヒンジ接合できるよう加工されたヒンジ付ナット１３ｅで、ヒンジ付ボルト１３ｄを締め付け、ヒンジ付ナット１３ｅ及びヒンジ付ボルト１３ｄを必要な回転角度を定めて固定する。